(57)【要約】【課題】表示パネルのデザイン性を損なうことなく、表示パネルの視認性を高めることができ、省エネ、長寿命化を実現できる表示装置とライトパイプを提供することである。【解決手段】一端側にＬＥＤ４からの光を受光する受光面９、他端側に光を出光する出光端１０が配置された複数のライトパイプ７が横並び状態で並設され、複数のライトパイプ７間がライトパイプ７の軸方向と直交する方向に延出された結合部８を介して結合された導光部材６を備えている。表示パネル２にライトパイプ７の出光端１０が並設され、任意の位置のライトパイプ７の出光端１０から出光させて機器の状態表示を行なう表示装置１である。ライトパイプ７は、受光面９に凹曲面９ａを形成し、出光端１０に表示パネル２のパネル面２ａとほぼ同一面位置となる平面状の端面１０ａを形成し、出光端１０以外の他の光ガイド部１１の外径に比べて出光端１０の外径が小さい絞り部１２を設けた。【選択図】図１
2015022814.tif 000002
【特許請求の範囲】
【請求項１】
一端側に光源からの光を受光する受光面、他端側に光を出光する出光端が配置された複数のライトパイプが横並び状態で並設され、
複数の前記ライトパイプ間が前記ライトパイプの軸方向と直交する方向に延出された結合部を介して結合された導光部材を備え、
表示パネルに前記ライトパイプの前記出光端が並設され、任意の位置の前記ライトパイプの前記出光端から出光させて機器の状態表示を行なう表示装置であって、
前記ライトパイプは、前記受光面に集光用の凹曲面を形成し、
前記出光端に前記表示パネルのパネル面とほぼ同一面位置となる平面状の端面を形成するとともに、
前記出光端以外の他の光ガイド部の外径に比べて前記出光端の外径を小さくした絞り部を設けたことを特徴とする表示装置。
【請求項２】
前記結合部は、前記ライトパイプの軸方向の長さの中間部分よりも前記出光端側に配置されていることを特徴とする請求項１に記載の表示装置。
【請求項３】
前記結合部は、隣り合う前記ライトパイプの間に隣側の前記ライトパイプへの光の漏れを低減するスリットが設けられていることを特徴とする請求項１に記載の表示装置。
【請求項４】
前記スリットは、前記ライトパイプの並設方向に沿って隣り合うライトパイプの間に前記結合部の表面側と、裏面側とに互い違いに順次、配置されていることを特徴とする請求項３に記載の表示装置。
【請求項５】
前記出光端の端面は、視野角を広げることができる微細な凹凸部を有していることを特徴とする請求項１に記載の表示装置。
【請求項６】
前記出光端の端面は、視野角を広げることができる光の散乱体からなるカバー部材を有していることを特徴とする請求項１に記載の表示装置。
【請求項７】
一端側に光源からの光を受光する受光面、他端側に表示パネルのパネル面に光を出光する出光端が配置されたライトパイプ本体を有し、
前記ライトパイプ本体は、前記受光面に集光用の凹曲面を形成し、
前記出光端に前記表示パネルのパネル面とほぼ同一面位置となる平面状の端面を形成するとともに、
前記出光端以外の他の光ガイド部の外径に比べて前記出光端の外径を小さくした絞り部を設けたことを特徴とするライトパイプ。
【請求項８】
前記出光端の端面は、視野角を広げることができる微細な凹凸部を有していることを特徴とする請求項７に記載のライトパイプ。
【請求項９】
前記出光端の端面は、視野角を広げることができる光の散乱体からなるカバー部材を有していることを特徴とする請求項７に記載のライトパイプ。
【発明の詳細な説明】
【技術分野】
【０００１】
本発明の実施形態は、表示装置とライトパイプに関する。
【背景技術】
【０００２】
一般的に、電子機器の表示装置として、表示パネルに例えば点灯状態と、非点灯状態とを選択的に切り替えることにより、機器の状態表示を行なう表示部が使用されている。この表示装置では、ＬＥＤなどの光源を使用し、ＬＥＤの発光点と表示パネルのパネル面の表示部（可視部）とが異なる場合に光源からの光を表示パネルの表示部まで導光管であるライトパイプを用いて導光する構成になっている。
【先行技術文献】
【特許文献】
【０００３】
【特許文献１】特開平１０−１０６３１９号公報
【特許文献２】特開平６−５９２５号公報
【発明の概要】
【発明が解決しようとする課題】
【０００４】
上記従来構成の表示装置では、ＬＥＤが点灯すると、ＬＥＤから放射される光がライトパイプの一端部に入射される。そして、ＬＥＤからの放射光は、ライトパイプの内部を通過、または側面で複数回反射させてライトパイプの上面から面光源として均一な光が出射される。そのため、表示パネルの正面から表示部を目視するとＬＥＤの光が認められる。しかしながら、従来の表示装置では、表示パネルの正面位置、すなわちライトパイプの軸心位置を中心とする狭い角度範囲しか光が放出されず、目の位置が表示パネルの正面位置から外れると点灯を視認することが難しくなっている。そのため、ＬＥＤの発光輝度が高いにも関わらず、表示パネルのパネル面で表示部の輝度が低かったり、表示パネルの表示部の点灯を視認する視野角が狭くなるなどの問題がある。
【０００５】
また、表示パネルのパネル面での横方向の視認性を高めるためには、表示部をパネル面よりも外側に突出させる凸構造にする必要がある（図５参照）。しかしながら、表示パネルのデザイン性の観点で、表示パネルのパネル面をできるだけフラット構造（図４参照）にしたい場合には表示部に凸構造を採用することができない。このような場合は、光源の輝度を上げる必要があり、輝度を上げると消費電流が大きくなり、省エネルギー化が行ないにくい。さらに、光源の輝度を上げた場合は、光源の寿命が短くなる。
【０００６】
本実施形態は上記事情に着目してなされたもので、表示パネルのデザイン性を損なうことなく、表示パネルのパネル面の視認性を高めることができ、省エネ、長寿命化を実現できる表示装置とライトパイプを提供することにある。
【課題を解決するための手段】
【０００７】
実施形態によれば、一端側に光源からの光を受光する受光面、他端側に光を出光する出光端が配置された複数のライトパイプが横並び状態で並設され、複数の前記ライトパイプ間が前記ライトパイプの軸方向と直交する方向に延出された結合部を介して結合された導光部材を備えている。表示パネルに前記ライトパイプの前記出光端が並設され、任意の位置の前記ライトパイプの前記出光端から出光させて機器の状態表示を行なう表示装置である。前記ライトパイプは、前記受光面に集光用の凹曲面を形成し、前記出光端に前記表示パネルのパネル面とほぼ同一面位置となる平面状の端面を形成するとともに、前記出光端以外の他の光ガイド部の外径に比べて前記出光端の外径を小さくした絞り部を設けた。
【図面の簡単な説明】
【０００８】
【図１】第１の実施の形態の表示装置の概略構成を示す要部の縦断面図。
【図２】第１の実施の形態の表示装置のライトパイプが横並び状態で並設された導光部材を示す側面図。
【図３】第１の実施の形態の表示装置の導光部材の結合部分を示す平面図。
【図４】第１の実施の形態の表示装置のライトパイプの出光端の形状を示す要部の縦断面図。
【図５】従来の表示装置のライトパイプの出光端の形状を示す要部の縦断面図。
【図６】第１の実施の形態の表示装置のライトパイプの受光面の形状を示す要部の縦断面図。
【図７】第１の実施の形態の表示装置のライトパイプの受光面とは異なる形状を示すもので、（Ａ）はライトパイプの受光面の形状が平面の場合の光源からの光の光路を示す要部の縦断面図、（Ｂ）はライトパイプの受光面の形状が凸曲面の場合の光源からの光の光路を示す要部の縦断面図。
【図８】光源からの光が凹レンズに入射した場合の入射光の光路を示すもので、（Ａ）は凹レンズの光軸の延長線上に光源が配置されている場合の凹レンズの入射光の光路を示す側面図、（Ｂ）は凹レンズの光軸の延長線上から外れた位置に光源が配置されている場合の凹レンズの入射光の光路を示す側面図。
【図９】（Ａ）は凸レンズの光軸の延長線上に光源が配置されている場合の凸レンズの入射光の光路を示す側面図、（Ｂ）は凸レンズの光軸の延長線上から外れた位置に光源が配置されている場合の凸レンズの入射光の光路を示す側面図。
【図１０】第１の実施の形態の表示装置の導光部材の結合部のスリットを示す側面図。
【図１１】第２の実施の形態の表示装置の導光部材を示す平面図。
【図１２】第３の実施の形態の表示装置の導光部材を示す側面図。
【図１３】第４の実施の形態の表示装置のライトパイプ出光端の端面の構造を示す側面図。
【図１４】第５の実施の形態の表示装置のライトパイプ出光端の端面の構造を示す側面図。
【発明を実施するための形態】
【０００９】
［第１の実施の形態］  
（構成）  
図１乃至図４、図６、図１０は、第１の実施の形態を示す。図１は、第１の実施の形態の表示装置１の概略構成を示す要部の縦断面図である。本実施の形態の表示装置１は、図示しない電子機器の筐体内に組み付けられ、電子機器の筐体の壁面に装着された表示パネル２に機器の状態表示を行なう複数の表示部３が設けられている。なお、表示部３は、単数であってもよい。
【００１０】
電子機器の筐体の内部には、複数の表示部３とそれぞれ対応する位置に光源である複数のＬＥＤ４が配置されている。これらのＬＥＤ４は、電子回路基板５上に取り付けられている。また、表示パネル２の表示部３と、ＬＥＤ４との間には、透明体、例えば透光性の樹脂材料で一体成形された導光部材６が配設されている。この導光部材６には、図２および図３に示すように複数のライトパイプ７が横並び状態で並設されている。複数のライトパイプ７間は、ライトパイプ７の軸方向と直交する方向に延出された横板状の結合部８を介して結合されている。
【００１１】
ライトパイプ７は、円柱状のライトパイプ本体７ａの一端側にＬＥＤ４からの光を受光する受光面９、他端側に光を出光する出光端１０が配置されている。ここで、受光面９には、球面状の集光用の凹曲面９ａが形成されている。そして、ライトパイプ７の中心線Ｏ１の延長線上にＬＥＤ４の中心位置が配置されている。これにより、ＬＥＤ４からの出射光が受光面９の凹曲面９ａに入射され、ライトパイプ本体７ａの内部を通過、または側面で複数回、反射してライトパイプ７の上面の出光端１０側にほぼ均一な光を導光するようになっている。
【００１２】
表示パネル２には、複数のライトパイプ７の各出光端１０を装着する複数の貫通孔２ｂが形成されている。ライトパイプ７の各出光端１０には、ライトパイプ本体７ａの出光端１０以外の他の光ガイド部１１の外径に比べて出光端１０の外径を小さくした絞り部１２が設けられている。ここで、絞り部１２は、表示パネル２の各貫通孔２ｂとほぼ同径の嵌合部１２ａと、先端側に向かうにしたがって外径が小さくなるテーパー部１２ｂとを有する。そして、ライトパイプ７の各出光端１０の嵌合部１２ａが表示パネル２の各貫通孔２ｂに嵌合される状態で、ライトパイプ７の各出光端１０が表示パネル２の各貫通孔２ｂに固定されている。また、図４に示すように複数のライトパイプ７の各出光端１０には、表示パネル２のパネル面２ａとほぼ同一面位置となる平面状の端面１０ａが形成されている。
【００１３】
本実施の形態の導光部材６は、複数のライトパイプ７間を連結する結合部８は図３に示すようにほぼ平板状の横板部材によって形成されている。この結合部８は図２に示すようにライトパイプ７の軸方向の長さの中間部分よりも出光端１０側に配置されている。図１０に示すようにこの結合部８の厚さｔは、ライトパイプ７の外径寸法ｄよりも小さくなるように（ｔ＜ｄ）に設定されている。
【００１４】
さらに、結合部８の出光端１０側の表面には、各ライトパイプ７の両側に隣り合うライトパイプ７の間にそれぞれスリット１３が設けられている。このスリット１３によってライトパイプ７の両側にライトパイプ７と屈折率が異なる空気層が形成される。そのため、各ライトパイプ７から隣側のライトパイプ７への光の漏れを低減することができるようになっている。このスリット１３の幅ｗを広げる事でスリット１３による光の漏れ防止の効率を上げることができる。なお、スリット１３の幅ｗは、結合部８の機械的強度（剛性）との兼ね合いで寸法を決めることが好ましい。
【００１５】
（作用）  
次に、上記構成の作用について説明する。本実施の形態の表示装置１の使用時には、まず、ＬＥＤ４が点灯すると、ＬＥＤ４から放射される光がライトパイプ７の一端部の受光面９に入射される。このとき、ＬＥＤ４から光を取り込むライトパイプ７の受光面９を凹レンズ構造の集光用の凹曲面９ａにすることで、図６に示すようにＬＥＤ４から放射される光が凹曲面９ａに入射する光の入射角度が直角に近い角度に調整することができる。そのため、例えば、図７（Ａ）に示すようにライトパイプ７の受光面９の形状が平面９ｂの場合や、図７（Ｂ）に示すようにライトパイプ７の受光面９の形状が凸曲面９ｃの場合に比べてライトパイプ７の受光面９から反射される反射光の量を低減することができる。これにより、ＬＥＤ４から放射される光が凹曲面９ａに入射する光の量を増大させてＬＥＤ４から放射される光が凹曲面９ａに入射する光の集光効率（導光効率）を高めることができる。
【００１６】
また、ライトパイプ７の受光面９の凹曲面９ａからライトパイプ７に入射した入射光は、ライトパイプ７の内部を通過、または側面で反射してライトパイプ７の上側に導光される。このとき、ライトパイプ７の内部を通る光はライトパイプ７の先端に行くほど、光密度が低くなる。そのため、ライトパイプ７の軸方向の長さの中間部分よりも出光端１０側に結合部８を配置することにより、ライトパイプ７の内部を通る光が結合部８側に漏れる光の量を低減することができ、ライトパイプ７の出射光が隣接するライトパイプ７側に漏洩する光量を低減し、ライトパイプ７の出射光の干渉が抑えられる。
【００１７】
さらに、ライトパイプ７の各出光端１０では、ライトパイプ本体７ａの出光端１０以外の他の光ガイド部１１の外径に比べて出光端１０の外径を小さくした絞り部１２が設けられている。そのため、出光端１０の外径よりも太い光ガイド部１１内を通して表示パネル２のパネル面２ａまで光をガイドし、出光端１０の絞り部１２で光路を細くすることで、光を効率よく出光端１０の端面１０ａまで導光することができる。
【００１８】
また、図８は、ＬＥＤ４からの光が凹レンズ１４に入射した場合の入射光の光路を示すもので、（Ａ）は凹レンズ１４の光軸Ｏ１の延長線上にＬＥＤ４の中心位置が配置されている場合の凹レンズ１４の入射光の光路を示す側面図、（Ｂ）は凹レンズ１４の光軸Ｏ１の延長線上から外れた位置にＬＥＤ４が配置されている場合の凹レンズ１４の入射光の光路を示す側面図である。
【００１９】
図８（Ａ）の場合は、ＬＥＤ４から放射される光が凹レンズ１４を通して光軸Ｏ１を中心にその周方向の全てに均一に拡散される状態で放射される。また、図８（Ｂ）の場合は、凹レンズ１４の光軸Ｏ１の延長線上から外れた位置のＬＥＤ４から放射される光が凹レンズ１４を通る際に、図８（Ａ）の光路に近い状態に拡散される。そして、凹レンズ１４を通過した光が光軸Ｏ１を中心にその周方向の全てに均一に拡散される状態で放射される。
【００２０】
これに対し、図９（Ａ）は凸レンズ１５の光軸Ｏ１の延長線上にＬＥＤ４が配置されている場合の凸レンズ１５の入射光の光路を示す側面図、（Ｂ）は凸レンズ１５の光軸Ｏ１の延長線上から外れた位置にＬＥＤ４の中心位置が配置されている場合の凸レンズ１５の入射光の光路を示す側面図である。
【００２１】
図９（Ａ）の場合は、ＬＥＤ４から放射される光が凸レンズ１５を通して屈折した光が光軸Ｏ１とほぼ平行な光として放射される。また、図９（Ｂ）の場合は、凸レンズ１５の光軸Ｏ１の延長線上から外れた位置のＬＥＤ４から放射される光が凸レンズ１５を通して屈折した光がＬＥＤ４と反対側に向けて偏った状態で放射される。
【００２２】
したがって、図８（Ａ），（Ｂ）に示すようにＬＥＤ４からの光が凹レンズ１４に入射した場合には、図８（Ａ）に示すように凹レンズ１４の光軸Ｏ１の延長線上にＬＥＤ４の中心位置が配置されている場合であっても、図８（Ｂ）に示すように凹レンズ１４の光軸Ｏ１の延長線上から外れた位置にＬＥＤ４が配置されている場合であってもほぼ偏り無く、凹レンズ１４全体から平均的に通過させることができる。これにより、凹レンズ１４の光軸Ｏ１とＬＥＤ４の位置関係の影響を受けることなく、ライトパイプ７の中を光が偏り無く平均的に通過させることができ、ＬＥＤ４からの光をライトパイプ７内を均等にガイドすることができる。
【００２３】
これに対し、凸レンズ１５の場合は図９（Ｂ）に示すように凸レンズ１５の光軸Ｏ１の延長線上から外れた位置のＬＥＤ４から放射される光は凸レンズ１５を通して屈折した光がＬＥＤ４と反対側に向けて偏った状態で放射されることになる。そのため、ライトパイプ７の受光面９に凸レンズ１５の構造を採用する場合は凸レンズ１５の光軸Ｏ１の延長線上にＬＥＤ４の中心位置が配置される状態に凸レンズ１５とＬＥＤ４とを高精度に位置決めする必要がある。
【００２４】
したがって、本実施の形態のようにＬＥＤ４から光を取り込むライトパイプ７の受光面９を凹レンズ構造の集光用の凹曲面９ａにすることで、ＬＥＤ４の中心位置とライトパイプ７の軸心位置との位置決め精度を格別に高める必要がなく、表示装置１の製造を簡素化することができる。
【００２５】
（効果）  
そこで、上記構成の本実施の形態の表示装置１では、次の効果を奏する。すなわち、ライトパイプ７は、受光面９に凹レンズ構造の集光用の凹曲面９ａを形成したので、ライトパイプ７の受光面９への入射光が反射しにくい構造にすることができる。これにより、ＬＥＤ４から放射される光がライトパイプ７の凹曲面９ａに入射する光の量を増大させてＬＥＤ４から放射される光が凹曲面９ａに入射する光の集光効率（導光効率）を高めることができる。さらに、ＬＥＤ４の中心位置とライトパイプ７の軸心位置との位置決め精度を格別に高める必要がなく、ＬＥＤ４からの光をライトパイプ７内で均等にガイドすることができる。そのため、表示装置１の製造性を高めることができる。
【００２６】
さらに、ライトパイプ７の出光端１０に表示パネル２のパネル面２ａとほぼ同一面位置となる平面状の端面１０ａを形成するとともに、出光端１０以外の他の光ガイド部１１の外径に比べて出光端１０の外径を小さくした絞り部１２を設けた。これにより、ライトパイプ７の光ガイド部１１の内部に入射された光が偏り難い構造にすることができ、ライトパイプ７内を均等に導光できる。そのため、出光端１０の外径よりも太い光ガイド部１１内を通して表示パネル２のパネル面２ａまで光をガイドし、出光端１０の絞り部１２で光路を細くすることで、光を効率よく出光端１０の端面１０ａまで導光することができる。さらに、ライトパイプ７に透明体を用いることで効率よく出光端１０までガイドすることができる。
【００２７】
そのため、図４に示すようにライトパイプ７の出光端１０に表示パネル２のパネル面２ａとほぼ同一面位置となる平面状の端面１０ａを形成した場合でも、格別にＬＥＤ４の輝度を上げることなく、ライトパイプ７の出光端１０の輝度を上げることができる。したがって、図５に示すようにライトパイプ７の出光端１０を表示パネル２のパネル面２ａよりも外部側に突出する凸構造にする必要がないので、表示パネル２のデザイン性を損なうことなく、表示パネル２のパネル面２ａでの表示部３の視認性を高めることができ、省エネ、長寿命化を実現できる表示装置１を提供することができる。
【００２８】
また、本実施の形態では、導光部材６に横板部材によって形成されている結合部８の厚さｔは、ライトパイプ７の外径寸法ｄよりも小さくなるように（ｔ＜ｄ）に設定されている。そのため、隣側のライトパイプ７への光の漏れを低減することができる。さらに、結合部８の出光端１０側の表面に、各ライトパイプ７の両側にそれぞれスリット１３を設けたので、隣側のライトパイプ７への光の漏れを一層、低減することができる。これにより、隣側のライトパイプ７への光の漏れ低減による効率化、および隣側のライトパイプ７からの干渉を低減する効果を得ることができる。また、結合部８のスリット１３は、ライトパイプ７の外周面に沿って形成することにより、各ライトパイプ７の両側への光の漏れをさらに効果的に低減することができる。
【００２９】
［第２の実施の形態］  
図１１は、第２の実施の形態を示す。本実施の形態は、第１の実施の形態（図１乃至図４、図６、図１０参照）の表示装置１の導光部材６の結合部８の構成を次の通り変更した変形例である。なお、この導光部材６の変更部分以外の構成は第１の実施の形態と同じである。そのため、ここでは第１の実施の形態と同一部分には同一の符号を付してその説明を省略する。
【００３０】
図１１に示すように本実施の形態では、導光部材６の結合部８の出光端１０側の表面に形成するスリット２１の形状を変更したものである。本実施の形態のスリット２１の形状は、結合部８の延設方向と直交する方向の幅がライトパイプ７の外径と同じ幅になるように設けている。これにより、隣側のライトパイプ７への光の漏れ低減による効率化、および隣側のライトパイプ７からの干渉を低減する効果を一層高めることができる。
【００３１】
［第３の実施の形態］  
図１２は、第３の実施の形態を示す。本実施の形態は、第１の実施の形態（図１乃至図４、図６、図１０参照）の表示装置１の導光部材６の構成を次の通り変更した変形例である。なお、この導光部材６の変更部分以外の構成は第１の実施の形態と同じである。そのため、ここでは第１の実施の形態と同一部分には同一の符号を付してその説明を省略する。
【００３２】
図１２に示すように本実施の形態では、結合部８のスリット１３は、ライトパイプ７の並設方向に沿って隣り合うライトパイプ７の間に結合部８の表面側と、裏面側とに互い違いに順次、配置されている。このように、隣り合うライトパイプ７の間のスリット１３を互い違いに配置することで、隣り合うライトパイプ７への光の漏れ低減による効率化、および隣からの干渉を低減する効果をさらに高めることができる。
【００３３】
［第４の実施の形態］  
図１３は、第４の実施の形態を示す。本実施の形態は第１の実施の形態（図１乃至図４、図６、図１０参照）の表示装置１の導光部材６のライトパイプ７の構成を次の通り変更した変形例である。なお、このライトパイプ７の変更部分以外の構成は第１の実施の形態と同じである。そのため、ここでは第１の実施の形態と同一部分には同一の符号を付してその説明を省略する。
【００３４】
図１３に示すように本実施の形態では、ライトパイプ７の出光端１０の端面１０ａに視野角を広げることができる微細な凹凸部３１を設けている。この微細な凹凸部３１は、例えば、導光部材６を射出成形で一体成形した後、ライトパイプ７の出光端１０の端面１０ａをヤスリなどで微細な傷を付ける状態に研削処理をすることで、微細な凹凸部３１を形成したものである。
【００３５】
本実施の形態のようにライトパイプ７の出光端１０の端面１０ａに微細な凹凸部３１を設けることにより、図１３中に矢印で示すようにライトパイプ７の内部を通り、出光端１０の端面１０ａから外部に出射される光が微細な凹凸部３１を通過する際に、ライトパイプ７の軸方向と、それ以外の方向へと広い範囲に亙り拡散させることができる。そのため、ライトパイプ７の出光端１０の端面１０ａからの横方向の輝度を広くすることができる構造にすることができ、表示パネル２の表示部３の視野角を広げることができるので、光源（ＬＥＤ４）の輝度を上げずに横方向からの視認性を高くできる。したがって、表示パネル２のデザイン性を損なうことなく、表示パネル２のパネル面２ａでの表示部３の視認性を高めることができ、省エネ、長寿命化を実現できる表示装置１を提供することができる。
【００３６】
［第５の実施の形態］  
図１４は、第５の実施の形態を示す。本実施の形態は第１の実施の形態（図１乃至図４、図６、図１０参照）の表示装置１の導光部材６のライトパイプ７の構成を次の通り変更した変形例である。なお、このライトパイプ７の変更部分以外の構成は第１の実施の形態と同じである。そのため、ここでは第１の実施の形態と同一部分には同一の符号を付してその説明を省略する。
【００３７】
図１４に示すように本実施の形態では、ライトパイプ７の出光端１０の端面１０ａに導光部材６とは別体の散乱体４１を入れる２層構造にしたものである。散乱体４１は、例えば導光部材６の樹脂材料とは異なる樹脂材料を積層させて形成されている。
【００３８】
これにより、図１４中に矢印で示すようにライトパイプ７の内部を通り、出光端１０の端面１０ａから外部に出射される光が散乱体４１を通過する際に、ライトパイプ７の軸方向と、それ以外の方向へと広い範囲に亙り拡散させることができる。そのため、本実施の形態でも第４の実施の形態（図１３参照）と同様に、ライトパイプ７の出光端１０の端面１０ａからの横方向の輝度を広くすることができる構造にすることができ、表示パネル２の表示部３の視野角を広げることができるので、光源（ＬＥＤ４）の輝度を上げずに横方向からの視認性を高くできる。したがって、表示パネル２のデザイン性を損なうことなく、表示パネル２のパネル面２ａでの表示部３の視認性を高めることができ、省エネ、長寿命化を実現できる表示装置１を提供することができる。
【００３９】
なお、上記各実施の形態では、円柱状のライトパイプ７の例を説明したがライトパイプ７は必ずしも円柱状でなくてもよい。例えば、三角柱、四角柱、六角柱などの多角柱であってもよい。
【００４０】
これらの実施形態によれば、表示パネルのデザイン性を損なうことなく、表示パネルのパネル面の視認性を高めることができ、省エネ、長寿命化を実現できる表示装置とライトパイプを提供することができる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１…表示装置、２…表示パネル、３…表示部、４…ＬＥＤ（光源）、６…導光部材、７…ライトパイプ、８…結合部、９…受光面、９ａ…凹曲面、１０…出光端、１０ａ…端面、１１…光ガイド部、１２…絞り部。
【図１】
2015022814.tif 000003
【図２】
2015022814.tif 000004
【図３】
2015022814.tif 000005
【図４】
2015022814.tif 000006
【図５】
2015022814.tif 000007
【図６】
2015022814.tif 000008
【図７】
2015022814.tif 000009
【図８】
2015022814.tif 000010
【図９】
2015022814.tif 000011
【図１０】
2015022814.tif 000012
【図１１】
2015022814.tif 000013
【図１２】
2015022814.tif 000014
【図１３】
2015022814.tif 000015
【図１４】
2015022814.tif 000016